(57)【要約】【課題】  交換機から呼び出し信号の間に送られて来るコーラＩＤ信号を確実に検出し、またそうでない場合をも確実に識別し、その内容を表示することを特徴とするファクシミリ通信機を提供する。【解決手段】  交換機から回線を経由して送られて来るコーラＩＤ信号を検出するコーラＩＤ信号検出手段と、前記交換機からの呼び出し信号を検出する呼び出し信号検出手段と、コーラＩＤ信号検出時間を任意に設定できる手段と、呼び出し信号の周波数およびケーデンスを検出する手段と、呼び出し信号の周波数およびケーデンスを記憶する記憶手段と、その記憶手段を用いて呼び出し信号を判定する判定手段とを用いるファクシミリ通信装置とする。【選択図】  図１
2007067863.tif 000002
【特許請求の範囲】
【請求項１】
交換機から回線を経由して送られて来るコーラＩＤ信号を検出するコーラＩＤ信号検出手段と、前記交換機からの呼び出し信号を検出する呼び出し信号検出手段と、前記コーラＩＤ検出手段においてコーラＩＤ検出時間を任意に設定する手段を具備したファクシミリ通信装置。
【請求項２】
予め呼び出し信号の周波数およびケーデンスを記憶する記憶手段と、前記呼び出し信号検出手段において呼び出し信号の周波数およびケーデンスを検出する機能を持ち、前記記憶手段に呼び出し信号検出手段で検出した周波数およびケーデンスを新たに記憶する手段を具備したことを特徴とする請求項１に記載のファクシミリ通信装置。
【請求項３】
前記記憶手段に記憶された呼び出し信号のケーデンスに応じて、前記コーラＩＤ信号検出手段のコーラＩＤ検出時間を最適に設定する手段を備え、さらにその最適時間を記憶する手段を具備したことを特徴とする請求項２に記載のファクシミリ通信装置。
【請求項４】
前記記憶手段に記憶された呼び出し信号の周波数およびケーデンスを用いて、呼び出し信号検出手段により検出された信号を判定する判定手段と、コーラＩＤ信号検出手段により検出された結果を前記判定手段と合わせて、コーラＩＤ信号の有効および無効を判断する手段を具備したことを特徴とする請求項２又は、請求項３に記載のファクシミリ通信装置。
【請求項５】
前記請求項１から請求項４までに記述された手段で検出されたコーラＩＤ信号の内容をデコードするデコード手段とその内容を表示する表示手段を具備したことを特徴とする請求項１から請求項４のいずれかに記載のファクシミリ通信装置。
【発明の詳細な説明】
【技術分野】
【０００１】
本発明は、電話回線から着信時に発呼側の識別情報を受信し、表示するコーラＩＤ受信機能を有するファクシミリ通信装置に関するものである。
【背景技術】
【０００２】
最近、海外等においては発呼側の電話番号の識別情報を被呼側に通知する交換網のサービス：コーラＩＤサービスが行なわれている。
【０００３】
このコーラＩＤのサービスに対応するためには、大きく２つの技術が存在している。
【０００４】
１つは、コーラＩＤ表示器を通信装置の前に接続して、コーラＩＤ信号を取りこみ、その情報を表示させる技術である。
【０００５】
もう１つは、通信装置内にコーラＩＤ信号を取りこみ、表示させる技術である。
【０００６】
又、別の従来例としては、特許文献１をあげることが出来る。
【特許文献１】特開平10-126496号公報
【発明の開示】
【発明が解決しようとする課題】
【０００７】
従来技術のコーラＩＤ表示器を用いる場合は、電話回線をまずこのコーラＩＤ表示器に接続し、そのコーラＩＤ表示器に設けてある機器接続端子に、通信機を接続する構成となっている。
【０００８】
動作としては、電話回線から着信があった場合（呼び出し信号が来た場合）、コーラＩＤ表示器の検出回路が動作して、第一番目呼び出し信号と第二番目の呼び出し信号間にあるコーラＩＤ信号を検出し、その内容をコーラＩＤ表示器の表示部に表示する。
【０００９】
表示状態は、接続した通信機器の通話または通信が終了して電話回線を開放するまで続ける。または、コーラＩＤ表示機器にあるリセットボタンを押下するまで続く動作となる。
【００１０】
回線を開放することで、交換機から回線捕捉の直流電流がなくなるか、もしくはリセットボタンを押すことでリセットがかかり、表示部は待機状態に戻る。
【００１１】
このような制御方法であるため、接続された通信機の通話及び通信中もコーラＩＤ表示器は検出動作を続ける。
【００１２】
また、電話回線に呼び出し信号以外の信号、例えばノイズやその回線に並列に接続された電話機または通信装置による発呼動作時に発生する波形によりコーラＩＤ表示器は検出動作を行ない続ける、という問題が生じている。
【００１３】
さらに、この表示機の使用形態上コーラＩＤ表示器に接続する通信装置の近くに置かないと前記コーラＩＤ表示器の表示部を確認できないという問題点がある。
【００１４】
最近は、ファクシミリ通信装置に電話機能が付属するのが一般的であるため、コーラＩＤ表示器を用いることは場所的な問題、受話および受信動作でのコーラＩＤ情報の確認がしにくいという問題がある。
【００１５】
そのため、ファクシミリ通信装置の中にコーラＩＤ表示機能を盛り込むことが主流になりつつある。
【００１６】
しかし、ファクシミリ通信装置の中にコーラＩＤ表示機能を取り込んだ場合には、そのコーラＩＤ信号を検出する方法において問題が生じている。
【００１７】
コーラＩＤ信号が、呼び出し信号の第一番目と第二番目の間に伝播してくるため、呼び出し信号検出回路において呼び出し信号検出ポートの状態が偏移（ＬｏｗからＨｉｇｈまたはＨｉｇｈからＬｏｗ）したら検出を開始し、逆の状態になる（ＨｉｇｈからＬｏｗまたはＬｏｗからＨｉｇｈ）と検出を終了するという方法を用いている。
【００１８】
上記コーラＩＤ表示器のところで記述したように電話回線に呼び出し信号以外の信号、例えばノイズやその回線に並列に接続された電話機による発呼動作に発生する波形によりファクシミリ通信機はコーラＩＤ信号検出状態になり、その間ファクシミリ通信機は他の動作を受け付けないという問題が生じている。
【課題を解決するための手段】
【００１９】
本発明では、コーラＩＤ信号検出手段と、呼び出し信号検出手段と、コーラＩＤ信号検出時間を任意に設定できる手段と、呼び出し信号の周波数およびケーデンスを検出する手段と、呼び出し信号の周波数およびケーデンスを記憶する記憶手段と、その記憶手段を用いて呼び出し信号を判定する判定手段とを用いることで交換機から呼び出し信号の間に送られて来るコーラＩＤ信号を確実に検出し、またそうでない場合をも確実に識別し、その内容を表示することを特徴とするファクシミリ通信機を提供するものである。
【発明の効果】
【００２０】
以上のように、本発明によれば、コーラＩＤ信号検出回路と、呼び出し信号件検出回路と、コーラＩＤ信号検出時間を任意に設定できる手段と、呼び出し信号の周波数およびケーデンスを記憶可能な不揮発性ＲＡＭと、その不揮発性ＲＡＭの記憶した呼び出し信号の内容を用いて、呼び出し信号を判定することで、交換機から呼び出し信号の間に送られて来るコーラＩＤ信号を確実に検出し、ユーザに対して表示することができるようになった。
【００２１】
また、電話回線に重畳して来るノイズおよびブランチ接続された他の通信機等の発呼動作による誤動作、誤表示をも防ぐことができる。
【発明を実施するための最良の形態】
【００２２】
次に、本発明の詳細を実施例の記述に従って説明する。
【実施例１】
【００２３】
図１は、本発明の実施形態の１つであるファクシミリ通信装置の構成を示したブロック図である。
【００２４】
CPU１は、ROM３に格納された制御プログラムに従って装置全体を制御する。
【００２５】
RAM５は、CPU1のワークエリアとして使用されるとともに、各種データが格納される。
【００２６】
不揮発性ＲＡＭ７は、NCU２の呼び出し信号検出手段で検出された新規の呼び出し信号データや、操作部８より入力された各種データを格納し、電源部１４がOFFしても格納されたデータを記憶保持する。
【００２７】
NCU２は、網制御を行なうものであり、電話回線１５とモデム６との間でのデータの送信受信動作を制御する。
【００２８】
モデム６は、電話回線１５を伝播してくる受信データや電話回線１５に送出する送信データの変調および復調を行なう。
【００２９】
またコーラＩＤ信号検出部４により検出されたコーラＩＤ信号（Ｖ．２１のＦＳＫ信号やＤＴＭＦ信号）を復調するのもモデム６で行なう。
【００３０】
操作部８は、１０ＫｅｙやファンクションＫｅｙが配列され、ユーザが各種入力動作を行なうものである。
【００３１】
読み取り部９は、原稿から画像を読み取り、記録部１３は、受信画像情報を印字したり、読み取り部９で読み取られた画像を印字するものである。
【００３２】
画像記憶部１１には、電話回線１５を経由して送られてきた受信画像情報が時系列で記憶される。
【００３３】
表示部１０は、表示器やキヤラクタージエネレータ等で構成されており、文字や絵等を表示する。
【００３４】
図２は、NCU２とコーラＩＤ信号検出部４の更に詳細な図面である。
【００３５】
電話回線１５は、切り換えリレー１７で通常時（待機時）は、呼び出し信号検出回路１９、コーラＩＤ信号検出回路２０、リンガー回路２１および電話機１６に接続されている。
【００３６】
電話回線１５より伝播してくる呼び出し信号は、呼び出し信号検出回路１９で検出される。
【００３７】
それと同時にリンガー回路２１によりユーザに認識できるような鳴動音を発生させる。
【００３８】
電話機１６は、通話時に使用する。
【００３９】
ファクシミリ通信を行なう場合は、切り換えリレー１７が回線信号分離回路１８の側に電話回線１５を切り換える。
【００４０】
電話回線１５より伝播してくる受信信号を回線信号分離回路１８を通してモデム６に入力し、またモデム６から出力する送信信号は、回線信号分離回路１８を通して、電話回線１５に送出する。
【００４１】
次に動作について説明する。
【００４２】
電話回線１５を通してコーラＩＤ信号が伝播して来て、その信号検出を行なう動作について説明する。
【００４３】
通話または通信相手が、実施例のファクシミリ通信装置の電話番号をダイヤルすると、回線交換機が、入力された電話番号を認識する。
【００４４】
その結果、回線交換機が電話回線１５を介して、このファクシミリ通信機に対して呼び出し信号とその呼び出し信号の第一呼び出し信号と第二の呼び出し信号の間にコーラＩＤ信号を送出する。
【００４５】
第一の呼び出し信号をNCU２の呼び出し信号検出回路１９で検出すると、モデム６は、コーラＩＤ信号を取り込む準備を行なうようにＣＰＵ１から制御される。
【００４６】
第一の呼び出し信号と第二の呼び出し信号の間隔：Tの間にコーラＩＤ信号は伝播して来る。
【００４７】
伝播してくる時間を第一の呼び出し信号受信後：ｔとするとT＞ｔとなる。
【００４８】
コーラＩＤ信号をコーラＩＤ信号検出回路２０で検出して、その信号をモデム６に入力して復調する。
【００４９】
この復調したデータを表示部１０に転送するようにＣＰＵ１は制御を行なう。
【００５０】
表示部１０においては、データ内容に応じた表示キャラクターデータを作成して表示器（ＬＣＤ等）に表示する。
【００５１】
第二の呼び出し信号以降にこのコーラＩＤ信号の内容を表示部に表示しながら、リンガー回路２１を鳴動させて、ユーザに着信があることとコーラＩＤ信号の内容を表示部１０に表示させて電話相手の情報を認識させる。
【００５２】
ユーザは通話の場合は、電話機１６をオフフックして通話を行ない、ファクシミリ通信の場合は操作部８の通信Ｋｅｙを押下することでＣＰＵ１が切り換えリレー１７を回線分離回路１８側に切り換える制御を行なう。
【００５３】
この切り換えリレー１７の動作により、電話回線１５は回線信号分離回路１８と接続し、モデム６を介して通信を行なう。
【００５４】
なお、通話中、および通信中も表示部１０にはコーラＩＤ信号の内容が引き続き表示するように表示部１０の表示データ保持回路をＣＰＵ１が制御する。
【００５５】
これが通常のコーラＩＤ信号検出から表示までの動作である。
【００５６】
次に、転居（海外から海外を含む）やオフィスの引越しなどで、従来の回線交換機の仕様と異なる電話回線に接続して使用する場合について説明する。
【００５７】
コーラＩＤ信号は、第一の呼び出し信号と第二の呼び出し信号の間に伝播して来ることは、コーラＩＤサービスの通信規格にて取り決められている。
【００５８】
しかし、呼び出し信号のケーデンスと信号内容は回線交換機により多種多様である。
【００５９】
そのため、ファクシミリ通信装置において、前の使用環境ではコーラＩＤ表示が行なえたが、使用環境が変わることでコーラＩＤ表示が行なえなくなる場合も少なくない。
【００６０】
使用環境が変わって、電話回線１５にこのファクシミリ通信装置を接続して初めての着信が来たとする。（図３の２２の呼び出し信号）
呼び出し信号が電話回線１５を経由して、NCU２の呼び出し信号検出回路１９に入る。
【００６１】
ここで呼び出し信号検出回路１９は、呼び出し信号の周波数検出およびケーデンスの検出を行なう。
【００６２】
この検出結果は、CPU１により不揮発性ＲＡＭ７内に予め格納されている多種多様な呼び出し信号のデータと比較される。
【００６３】
この比較動作において、合致するデータが確認された場合はその呼び出し信号に最も適切なコーラＩＤ信号検出時間：ｔ１が改めて設定されて、第二の呼び出し信号が来るまでの時間：Ｔ１の間にコーラＩＤ信号を検出して、表示部１０にその内容を表示する動作を行なう。（図３の２２の呼び出し信号：Ｔ１＞ｔ１）
一方、初めての着信時、呼び出し信号の周波数およびケーデンスの検出結果が、不揮発性ＲＡＭ７内に格納されている呼び出し信号のデータと合致しなかった場合については、以下のように動作する。（図３の２３の呼び出し信号）
合致しなかった場合は、コーラID信号の検出動作もうまくいかないので、検出エラーが発生する。（コーラＩＤ信号の取りこみエラーが発生する）
この場合は、表示部１０にコーラＩＤ情報の取りこみエラーの旨を表示する。
【００６４】
この表示を続けながら、第二の呼び出し信号、第三、第四の呼び出し信号が、ユーザが電話機１６をオフフックするまで送られて来る。
【００６５】
この第二、第三、第四の呼び出し信号を、ＮＣＵ２の呼び出し信号検出回路１９が検出し続け、その内容をＣＰＵ１が周波数、ケーデンスを解析し、そしてデータ化して新規に不揮発性ＲＡＭ７に格納する動作を行なう。
【００６６】
また、CPU１は、ケーデンスの解析結果より、第一の呼び出し信号と第二の呼び出し信号の間隔T2が確認でき、その値からコーラＩＤ信号が伝播して来る時間を、第一の呼び出し信号の後：ｔ２と設定する。（図３の２３の呼び出し信号：Ｔ２＞ｔ２）
これで、最初（第１回目）の着信動作にてコーラＩＤ信号検出の環境設定を完了する。
【００６７】
2回目以降の着信においては、コーラＩＤ信号を確実に検出し、モデム６で復調して、表示部１０にその内容を表示することができる。
【００６８】
今度は、ファクシミリ通信機の電話回線に他の電話機や通信機がブランチ接続されている場合について説明する。
【００６９】
１つの電話回線を複数の通信機で使用する場合、その内の１つの通信機を用いて発呼動作を行なうと、その動作により電話回線上に波形が伝播される。
【００７０】
この波形を、呼び出し信号と認識したり、その通信機から送出されたＤＴＭＦ信号等をコーラＩＤ信号と後認識する場合が少なくない。
【００７１】
今回のファクシミリ通信装置においては、前述したようにNCU２の呼び出し信号検出回路１９で検出した呼び出し信号を不揮発性ＲＡＭ７内に格納されている呼び出し信号のデータと比較する機能を有しているため、ブランチ接続された通信機等の発呼動作による信号が呼び出し信号ではないと瞬時に判断できる。
【００７２】
例えば、他の通信機が発呼動作のためオフフックする時に発生する過渡波形においては周波数が異なり、連続して伝播しないためケーデンスの見地からも呼び出し信号でないと判断できる。
【００７３】
また、ダイヤルパルス信号を送出した場合にも、周波数およびケーデンスの比較により瞬時に呼び出し信号でないと判断できる。
【００７４】
これは、電話回線１５に時折重畳してくるノイズ信号に対しても同様に動作する。
【００７５】
そのため、本発明のファクシミリ通信機は、電話回線１５にブランチ接続された通信機および電話による発呼動作による誤動作、および電話回線１５に重畳されるノイズによる誤動作も防ぐことができる。
【００７６】
さらに、電話回線１５に他の通信機がブランチ接続された場合でも、確実にコーラＩＤ信号を検出して、表示部１０にコーラＩＤの内容を表示することができる。
【００７７】
以上が、図１および図２を用いての一実施例の説明である。
【００７８】
図３は、電話回線からの呼び出し信号とコーラＩＤ信号の伝播状況の図である。
【００７９】
図４は、本特許の実施例における動作を示すフローチャートである。
【００８０】
このフローチャートについて間単に説明する。
【００８１】
上述した実施例の動作をフローチャートで示したものであり、電話回線１５に接続された本発明のファクシミリ通信機は、スタンバイ２４の状態である。
【００８２】
コーラＩＤ表示の設定２５は、操作部８で行なうことができる。
【００８３】
表示すると設定した場合は、呼び出し信号検出動作２６で信号が検出されると、その信号が呼び出し信号であるかを２７で判定する。
【００８４】
電話回線のノイズまたはブランチ接続された他の電話機および通信機の発呼動作信号の場合は、スタンバイ２４に戻り待機状態になる。
【００８５】
呼び出し信号と判定された場合は、不揮発性ＲＡＭ７に予め記憶されている呼び出し信号か否かを２８にて比較、判断する。
【００８６】
予め記憶されている呼び出し信号の場合は、第一の呼び出し信号と第二の呼び出し信号間のコーラＩＤ信号を検出する動作を２９にて行なう。
【００８７】
検出されたコーラＩＤ情報は、表示部１０で表示を行なうように３１にて表示動作を行なう。
【００８８】
そして、リンガー回路２１を制御してリンガーを鳴動させるように３３にて動作させる。
【００８９】
その後は、オフフックしたか否かを３７で判断し、通信または通話を３８で行ない、オンフックしたか否かを３９で判断することで、通話または通信が終了したか否かを判定する。
【００９０】
終了を４０にて確認すると、本発明の通信機はスタンバイ（待機）状態に戻る。
【００９１】
次に、３０からの流れを説明する。
【００９２】
電話回線１５を伝播して来る呼び出し信号が、予め記憶されている呼び出し信号と異なる場合は、第１の呼び出し信号と第２の呼び出し信号間のコーラＩＤ信号を検出するように動作する。
【００９３】
コーラＩＤ信号が検出できた場合は、表示部１０にて表示するように３１の動作に移行する。
【００９４】
コーラＩＤ信号が検出できなかった場合は、第一の呼び出し信号と第二の呼び出し信号の識別およびケーデンス検出が不適格であると判断して、この呼び出し信号のケーデンスおよび周波数の検出を正確に行なうように３２の動作で行なう。
【００９５】
表示部１０にはコーラＩＤ情報は表示できない。しかし３２の動作で検出した呼び出し信号のデータを７の不揮発性ＲＡＭに格納する。これが３６の動作である。
【００９６】
その後の動作は、３３でリンガーを鳴動させ、３７、３８、３９、４０に移行して通話、通信終了後はスタンバイに戻る。
【００９７】
最後に、コーラＩＤ表示をしないを操作部にて選択した場合について説明する。
【００９８】
２７にて呼び出し信号と判断した場合に、表示部１０に表示しない状態で３３のリンガー鳴動動作に移行する。
【００９９】
後は３７、38、３９、４０に移行する。
【０１００】
以上が、図４のフローチャートの説明である。
【図面の簡単な説明】
【０１０１】
【図１】本発明のファクシミリ通信装置の一実施例を示したブロック図面である。
【図２】本発明のファクシミリ通信装置のＮＣＵおよびコーラＩＤ信号検出部の詳細な構成を示したブロック図である。
【図３】電話回線からの呼び出し信号とコーラＩＤ信号の伝播の一実施例である。
【図４】本発明の一実施例に基づいたフローチャートである。
【符号の説明】
【０１０２】
１  CPU
２  NCU
３  ＲＯＭ
４  コーラＩＤ信号検出部
５  ＲＡＭ
６  モデム
７  不揮発性ＲＡＭ
８  操作部
１１  画像記憶部
１２  駆動部
１３  記録部
１４  電源部
１５  電話回線
１６  電話機
１７  切り換えリレー
１８  回線信号分離回路
１９  呼び出し信号検出回路
２０  コーラＩＤ信号検出回路
２１  リンガー回路
２２  呼び出し信号
２３  呼び出し信号
【図１】
2007067863.tif 000003
【図２】
2007067863.tif 000004
【図３】
2007067863.tif 000005
【図４】
2007067863.tif 000006